【手続補正書】
【提出日】平成31年1月15日(2019.1.15)
【手続補正１】
【補正対象書類名】特許請求の範囲
【補正対象項目名】全文
【補正方法】変更
【補正の内容】
【特許請求の範囲】
【請求項１】
３次元物体プリンタであって、
材料滴を吐出するよう構成される複数のイジェクタを有するプリントヘッドと、
前記プリントヘッド内の前記イジェクタにより吐出される前記材料滴に対応するデータを生成するよう構成されるセンサと、
前記プリントヘッドおよび前記センサに動作可能に接続する制御装置であって、
前記センサにより生成される前記データを参照して機能不良イジェクタを特定し、
前記特定された機能不良イジェクタの向かい側に隣接する位置に材料滴を吐出する、前記プリントヘッド内の少なくとも１つの機能イジェクタを特定し、前記プリントヘッド内の前記特定された少なくとも１つの機能イジェクタは、材料滴の第１の層が形成される前に形成された材料滴の層に材料滴を吐出するイジェクタとして特定され、
前記少なくとも１つの特定される機能イジェクタに送信される発射信号を変更して、前記機能不良イジェクタの向かい側に隣接する前記位置に吐出される前記材料滴の小滴体積を増やし、
前記プリントヘッドを操作して、材料滴の第１の層を形成するよう構成され、前記少なくとも１つの特定された機能イジェクタが、前記変更された発射信号で操作される、制御装置と、を含む３次元物体プリンタ。
【請求項２】
前記制御装置が、
前記材料滴の第１の層と平行な平面内で前記プリントヘッドを移動させて、前記材料滴の第１の層内の機能不良イジェクタの向かい側の前記位置とは異なる前記材料滴の第１の層の上に形成される材料滴の次の層内の向かい側の位置に前記機能不良イジェクタを配置させるようさらに構成される、請求項１に記載の３次元物体プリンタ。
【請求項３】
前記制御装置が、
前記発射信号の区画の形状を変更することにより、前記発射信号を変更するようさらに構成される、請求項１に記載の３次元物体プリンタ。
【請求項４】
前記制御装置が、
前記発射信号の区画の電圧振幅を変更することにより、前記発射信号を変更するようさらに構成される、請求項３に記載の３次元物体プリンタ。
【請求項５】
前記制御装置が、
前記発射信号の区画の持続時間を変更することにより、前記発射信号を変更するようさらに構成される、請求項３に記載の３次元物体プリンタ。
【請求項６】
前記制御装置が、
複数の発射信号を生成することにより、前記発射信号を変更し、前記特定された少なくとも１つの機能イジェクタを複数回操作し、複数の材料滴を吐出するようさらに構成される、請求項１に記載の３次元物体プリンタ。
【請求項７】
前記制御装置が、
前記機能不良イジェクタの向かい側に隣接する位置に材料滴を吐出するように配置される、前記プリントヘッド内の少なくとも１つの機能イジェクタに対応する空白のボクセルを特定し、
前記空白のボクセルにデータを挿入して前記少なくとも１つの機能イジェクタを操作し、
前記挿入されたデータで前記プリントヘッドを操作し、前記機能不良イジェクタの向かい側の位置に隣接する位置に材料滴を吐出するようさらに構成される、請求項１に記載の３次元物体プリンタ。
【請求項８】
３次元物体プリンタであって、
材料滴を吐出するよう構成される複数のイジェクタを有するプリントヘッドと、
前記プリントヘッド内の前記イジェクタにより吐出される前記材料滴に対応するデータを生成するよう構成されるセンサと、
前記プリントヘッドおよび前記センサに動作可能に接続する制御装置であって、
前記センサにより生成される前記データを参照して機能不良イジェクタを特定し、
前記特定された機能不良イジェクタの向かい側に隣接する位置に材料滴を吐出する、前記プリントヘッド内の少なくとも１つの機能イジェクタを特定し、前記プリントヘッド内の前記特定された少なくとも１つの機能イジェクタは、材料滴の第１の層が形成された後に形成された材料滴の層に材料滴を吐出するイジェクタとして特定され、
前記少なくとも１つの特定される機能イジェクタに送信される発射信号を変更して、前記機能不良イジェクタの向かい側に隣接する前記位置に吐出される前記材料滴の小滴体積を増やし、
前記プリントヘッドを操作して、材料滴の第１の層を形成するよう構成され、前記少なくとも１つの特定された機能イジェクタが、前記変更された発射信号で操作される、制御装置と、を含む３次元物体プリンタ。
【請求項９】
前記制御装置が、
前記材料滴の第１の層と平行な平面内で前記プリントヘッドを移動させて、前記材料滴の第１の層内の機能不良イジェクタの向かい側の前記位置とは異なる前記材料滴の第１の層の上に形成される材料滴の次の層内の向かい側の位置に前記機能不良イジェクタを配置させるようさらに構成される、請求項８に記載の３次元物体プリンタ。
【請求項１０】
前記制御装置が、
前記発射信号の区画の電圧振幅を変更することにより、前記発射信号を変更するようさらに構成される、請求項９に記載の３次元物体プリンタ。
【請求項１１】
前記制御装置が、
前記発射信号の区画の持続時間を変更することにより、前記発射信号を変更するようさらに構成される、請求項９に記載の３次元物体プリンタ。
【請求項１２】
前記制御装置が、
複数の発射信号を生成することにより、前記発射信号を変更し、前記特定された少なくとも１つの機能イジェクタを複数回操作し、複数の材料滴を吐出するようさらに構成される、請求項８に記載の３次元物体プリンタ。
【請求項１３】
前記制御装置が、
前記発射信号の区画の形状を変更することにより、前記発射信号を変更するようさらに構成される、請求項８に記載の３次元物体プリンタ。
【請求項１４】
前記制御装置が、
前記機能不良イジェクタの向かい側に隣接する位置に材料滴を吐出するように配置される、前記プリントヘッド内の少なくとも１つの機能イジェクタに対応する空白のボクセルを特定し、
前記空白のボクセルにデータを挿入して前記少なくとも１つの機能イジェクタを操作し、
前記挿入されたデータで前記プリントヘッドを操作し、前記機能不良イジェクタの向かい側の位置に隣接する位置に材料滴を吐出するようさらに構成される、請求項８に記載の３次元物体プリンタ。
【手続補正２】
【補正対象書類名】明細書
【補正対象項目名】発明の名称
【補正方法】変更
【補正の内容】
【発明の名称】３次元物体プリンタ
【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】変更
【補正の内容】
【０００６】
機能不良イジェクタを補償する方法を実施する３次元プリンタは、材料滴を吐出するよう構成される複数のイジェクタを有するプリントヘッドと、プリントヘッド内のイジェクタにより吐出される材料滴に対応するデータを生成するよう構成されるセンサと、プリントヘッドおよびセンサに動作可能に接続する制御装置であって、センサにより生成されるデータを参照して機能不良イジェクタを特定し、特定された機能不良イジェクタの向かい側に隣接する位置に材料滴を吐出する、プリントヘッド内の少なくとも１つの機能イジェクタを特定し、前記プリントヘッド内の前記特定された少なくとも１つの機能イジェクタは、材料滴の第１の層が形成される前に形成された材料滴の層に材料滴を吐出するイジェクタとして特定され、少なくとも１つの特定される機能イジェクタに送信される発射信号を変更して、機能不良イジェクタの向かい側に隣接する位置に吐出される材料滴の体積を増やし、プリントヘッドを操作して、材料滴の第１の層を形成するようよう構成され、少なくとも１つの特定された機能イジェクタが、変更された発射信号で操作される、制御装置と、を含む。